(57)【特許請求の範囲】
【請求項１】
ＦＤＤユニット、ＨＤＤユニット、ＣＤ・ＲＯＭユニット、ＤＡユニット、ＱＩＣユニット、ＭＯユニット、ＭＤユニット等の記憶ユニットのうち少なくとも一つの前記記憶ユニットと、メモリカードによるメモリ機能を有するメモリカードユニットとを互いに重なり合うよう一体的に構成してなり、前記記憶ユニット及び前記メモリカードユニット間に介在した取付部材を有し、前記取付部材は、前記記憶ユニット及び前記メモリカードユニットの両側のケース側面部にそれぞれ当接するように折り曲げて形成された複数の取付片を有し、前記ケース側面部にネジ穴が設けられており、前記取付片のそれぞれに形成された取付穴を通して前記ネジ穴にネジをねじ込むことにより前記記憶ユニット及び前記メモリカードユニットとが一体的に取り付けられていることを特徴とするデータ記録・再生装置。
【請求項２】
請求項１記載のデータ記録・再生装置において、前記記憶ユニット及び前記メモリカードユニットの互いに重なり合う方向の高さ寸法を４２ｍｍ以下に設定したことを特徴とするデータ記録・再生装置。
【請求項３】
請求項１記載のデータ記録・再生装置において、前記記憶ユニット及び前記メモリカードユニットの前面に取り付けた一つのフロントパネルを有し、前記フロントパネルは、前記メモリカードユニット及び前記記憶ユニットの記憶媒体を前記記憶ユニット及び前記メモリカードユニットのケース前面にそれぞれ設けた開口から内部に出し入れ可能な出入口と、前記メモリカードユニット及び前記記録媒体を前記出入口へ排出させるイジェクト釦を貫通させた貫通穴とを有していることを特徴とするデータ記録・再生装置。
【発明の詳細な説明】
【０００１】
【産業上の利用分野】
本発明は、メモリカードによるメモリ拡張機能を有するメモリカードユニットを含むデータ処理装置に、ＦＤＤユニットやＣＤ・ＲＯＭユニット等の大容量の記憶ユニットを一体に備えるデータ記録・再生装置に関する。
【０００２】
【従来の技術】
従来、パーソナルコンピュータ程度の規模のデータ処理装置は、図５に示すように、ホストユニットとしてのＣＰＵを内臓した装置本体１０１と、この装置本体１０１上に置かれたディスプレイ装置１０２と、データ入力用のキーボード１０３とからなるのが普通である。装置本体１０１には、ＦＤＤユニット（磁気ディスクドライブユニット）、ＨＤＤユニット（ハードディスクドライブユニット）などの二つの記憶ユニット１０４、１０５が装置本体１０１に個別に組み込まれている。
【０００３】
このようなデータ処理装置には、ＦＤＤユニット，ＨＤＤユニットの他に、ＣＤ・ＲＯＭユニット（コンパクトディスク・リードオンリメモリユニット）、ＤＡＴユニット（ディジタルオーディオテープドライブユニット）、ＱＩＣユニット（ＱＩＣテープカートリッジドライブユニット）、ＭＯユニット（光磁気ディスクユニット）、データ用ＭＤユニット（データ用ミニディスクドライブユニット）等の記録媒体によるメモリ機能を有する記憶ユニットをもつデータ処理装置用の記憶ユニット１０６を利用する。２つの記憶ユニット１０４、１０５の他に記憶ユニット１０６を追加する場合には、装置本体１０１とは別に独立して設置する必要がある。
【０００４】
さらに、データ処理装置には、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）のメモリカードによるメモリ機能を有するメモリカードユニットを追加し、上記各記憶ユニット１０４、１０５、１０６の一つと組み合わせることが提案されている。この場合には、メモリカードユニットを装置本体１０１とは別に独立して設置したり、装置本体１０１に記憶ユニット１０４、１０５とは別に設置し、各記憶ユニットの一つとメモリカードユニットとの使用により単体で使用する場合よりも有効性を発揮することができる。
【０００５】
【発明が解決しようとする課題】
しかしながら、各記憶ユニット１０４、１０５とメモリカードユニットとは、すべて単体でユニット化されており、使用するときに配置スペースが問題となる。即ち、各記憶ユニット１０４、１０５とメモリカードユニットをばらばらに配置するとそれなりの配置スペースが必要となる。
【０００６】
また、データ処理装置には、各記憶ユニット１０４、１０５とメモリカードユニットも独立して設置するため、データ処理装置全体の配置スペースが拡大することに加えて装置本体１０１、記憶ユニット１０４、１０５及びメモリカードユニットとのインターフェースが繁雑になる。
【０００７】
それ故に、本発明の課題は、各記憶ユニットの一つと、メモリカードユニットとを一体化することにより２つの機能をもち、かつそれぞれの欠点を補充し合うとともに、有効性を十分に発揮することができるデータ記録・再生装置を提供することにある。
【０００８】
また、本発明の他の課題は、記憶ユニットとメモリカードユニットとをフロントパネルに装着できるように構成することによりコンパクト化を図りスペースを有効に利用できるデータ記録・再生装置を提供することにある。
【０００９】
また、本発明の他の課題は、記憶ユニットとメモリカードユニットと組み合わせた厚さをハーフハイト対応とし、他のフロントパネル部分の使用用途が拡大できるデータ記録・再生装置を提供することにある。
【００１０】
さらに、本発明の他の課題は、インターフェース部分を共通化することにより、データ処理装置内部バスへの接続ラインを減少させることができるデータ記録・再生装置を提供することにある。
【００１１】
【課題を解決するための手段】
本発明によれば、ＦＤＤユニット、ＨＤＤユニット、ＣＤ・ＲＯＭユニット、ＤＡユニット、ＱＩＣユニット、ＭＯユニット、ＭＤユニット等の記憶ユニットのうち少なくとも一つの前記記憶ユニットと、メモリカードによるメモリ機能を有するメモリカードユニットとを互いに重なり合うよう一体的に構成してなり、前記記憶ユニット及び前記メモリカードユニット間に介在した取付部材を有し、前記取付部材は、前記記憶ユニット及び前記メモリカードユニットの両側のケース側面部にそれぞれ当接するように折り曲げて形成された複数の取付片を有し、前記ケース側面部にネジ穴が設けられており、前記取付片のそれぞれに形成された取付穴を通して前記ネジ穴にネジをねじ込むことにより前記記憶ユニット及び前記メモリカードユニットとが一体的に取り付けられていることを特徴とするデータ記録・再生装置が得られる。
【００１２】
また、本発明によれば、前記記憶ユニット及び前記メモリカードユニットの互いに重なり合う方向の高さ寸法を４２ｍｍ以下に設定したことを特徴とするデータ記録・再生装置が得られる。
【００１３】
また、本発明によれば、前記記憶ユニット及び前記メモリカードユニットの前面に取り付けた一つのフロントパネルを有し、前記フロントパネルは、前記メモリカードユニット及び前記記憶ユニットの記憶媒体を前記記憶ユニット及び前記メモリカードユニットのケース前面にそれぞれ設けた開口から内部に出し入れ可能な出入口と、前記メモリカードユニット及び前記記録媒体を前記出入口へ排出させるイジェクト釦を貫通させた貫通穴とを有していることを特徴とするデータ記録・再生装置が得られる。
【００１５】
【実施例】
図１及び図２は本発明のデータ記録・再生装置の一実施例を示している。図１及び図２を参照して、データ記録・再生装置は、ＰＣＭＣＩＡのメモリカードによるメモリ機能を有するメモリカードユニット１と記憶ユニット２とを重なり合うよう一体的に組み合わせ構成している。
【００１６】
記憶ユニット２は、ＦＤＤユニット、ＨＤＤユニット、ＣＤ・ＲＯＭユニット、ＤＡＴユニット、ＱＩＣユニット、ＭＯユニット、データ用ＭＤユニット等の記録媒体によるメモリ機能を有する。なお、図１及び図２に示すデータ記録・再生装置では、メモリカードユニット１と、記憶ユニット２としてＱＩＣユニットとの組み合わせ構成例を示している。
【００１７】
メモリカードユニット１の内部構造の概略構成を、図３により簡単に説明すると、メモリカードユニット１は、内部にＩＣ等が組み込まれている薄板状のメモリーカード４を嵌合・離脱可能に接続する平面略コ字形のコネクタ５と、このコネクタ５が実装されているインターフェイス用のプリント回路基板６とを有している。コネクタ５は、互いに平行な一対のガイドフレーム５ａ，５ｂと、これらの一対のガイドフレーム５ａ，５ｂの一端を相互に連結した保持フレーム５ｃと、メモリカード４を一対のガイドフレーム５ａ，５ｂ間に嵌合したときにメモリカード４とプリント回路基板６の回路とを電気的に接続する複数の導電性のコンタクト７とを有している。コンタクト７は保持フレーム５ｃに保持されている。
【００１８】
また、コネクタ５には、メモリカード４をコンタクト７の接触部に接触させた嵌合状態から離脱するための図示しないエジェクトタ機構が組み込まれている。
【００１９】
一方のガイドフレーム５ｂの前面には、エジェクトタ機構を操作するために嵌合・離脱方向に移動可能にエジェクト釦８が突出して設けられている。このエジェクト釦８は嵌合方向に押し込むことエジェクタ機構により、メモリカード４が離脱方向に少し移動して、コンタクト７との接続状態を解除する。さらに、プリント回路基板６には複数の電子部品９ａ，９ｂ，９ｃが搭載されている。
【００２０】
コネクタ５及びプリント回路基板６は、図１及び図２に示すようにケース１０により覆われている。即ち、ケース１０の前面にはメモリカード４をコネクタ５に挿入するよう開口１１が形成されている。また、ケース１０の前面にはエジェクト釦８が突出している。
【００２１】
なお、記憶ユニット２の内部構成については、周知であるため説明を省略する。なお、記憶ユニット２は、メモリカードユニット１と同様に、記録媒体（図示せず）をそのケース１３の前面から内部に挿入するための開口１４が形成されている。このケース１３の前面にはエジェクト釦１５が突出している。
【００２２】
メモリカードユニット１と記憶ユニット２とは、金属製の取付部材２０を介して互いに重なり合うように一体化されている。取付部材２０は記憶ユニット２の両側のケース側面部に当接するように下方に折り曲げて形成された複数の第１の取付片（本実施例では四つの取付片）２０ａを有している。また、取付部材２０はメモリカードユニット１の両側のケース側面部に当接するように上方に折り曲げて形成された複数の第２の取付片（本実施例では四つの取付片）２０ｂを有している。記憶ユニット２及びメモリカードユニット１のケース側面部には複数のネジ穴２２、２３が設けられている。ネジ穴２２，２３には第１及び第２の取付片２０ａ，２０ｂのそれぞれにに形成されている取付穴２０ｃ，２０ｄを通してネジ穴２２，２３にネジ２５をねじ込むことにより、記憶ユニット２及びメモリカードユニット１が取付部材２０に一体に取り付けられている。
【００２３】
なお、取付部材２０を樹脂材とする場合には、第１及び第２の取付片２０ａ，２０ｂやネジ穴２２，２３を一体成形によって得る。また、メモリカードユニット１と記憶ユニット２との一体化を、少なくとも各ケース１０，１３の一部を切り起こして形成した取付片により行うようにしてもよい。
【００２４】
メモリカードユニット１及び記憶ユニット２におけるメモリカード４の出し入れ用の開口１１，１４を有する前面は、互いに同一面となるように揃えられフロントパネル２８が取り付けられている。フロントパネル２８は、各ケース１０，１３の前面の開口１１，１４のそれぞれに一対一に対応する箇所に記録媒体及びメモリカード４を出し入れするための出入口３０，３１と、各エジェクト釦８，１５を貫通させた貫通穴３３、３４とを有している。
【００２５】
この例では、メモリカードユニット１の前面と記憶ユニット２の前面とを同一面になるように揃えるがかどうかは自由である。いずれにしても、メモリカードユニット１の前面及び記憶ユニット２の前面には、記録媒体及びメモリカード４の挿入、排出のための開口１１，１４を形成し、エジェクト釦８，１５を前方に突き出させるための貫通穴３３，３４を有する一つのフロントパネル２８でカバーされるもである。フロントパネル２８は、例えば、メモリカードユニット１および／または記録ユニット２にネジ（図示せず）によって固定されている。
【００２６】
ところで、メモリカードユニット１と記憶ユニット２とから出力される信号は、フォーマットが異なるので、これらを装置本体４０内のＣＰＵに接続するにはインターフェースが必要となる。図４を参照して、メモリカードユニット１及び記憶ユニット２は、それぞれメモリカードユニット用のインターフェースユニット４１、記憶ユニット用のインターフェースユニット４２を通してＣＰＵのバスライン４３に接続される。
【００２７】
また、データ記録・再生装置としてのサイズは、幅Ｗ  １５０ｍｍ以下，高さＨ  ４２ｍｍ以下，奥行きＬ  ２１０ｍｍ以下のいわゆるハーフハイトサイズに設定されている。
【００２８】
【発明の効果】
以上述べたように、本発明のデータ記録・再生装置によれば、記憶ユニット及びメモリカードユニットを簡単な構造で組み合わせ一体化して二つの機能を発揮することができ、各ユニットの持つ欠点を補充し合うとともに有効性を十分に発揮することができる。
【００２９】
また、メモリカードユニットと記憶ユニットとを組み合わせ一組の装置としてフロントパネルに装着できるように構成したため、コンパクトな構成のデータ記録・再生装置が得られる。
【００３０】
また、組み合わせた厚さをハーフハイト対応とすることにより他のフロントパネル部分の使用用途が拡大できるため、外付けという不便な構成を採用しなくてもよく、一つのデータ処理装置でより多くの記憶機器を操作できるように配置ができ極めて便利になるという効果を奏する。
【００３１】
さらに、インターフェース部分を共通化することができるため、データ処理装置の内部バスへの接続ラインが減少できるという効果を奏する。
【図面の簡単な説明】
【図１】本発明のデータ記録・再生装置の一実施例を示す斜視図である。
【図２】図１の組み立て前の構成を示す分解斜視図である。
【図３】図１のメモリカードユニットの概略構成を示す斜視図である。
【図４】図１のデータ記録・再生装置に接続されるインタフェースユニットについて説明するためのブロック図である。
【図５】従来のデータ処理装置の概略構成を示す斜視図である。
【符号の説明】
１    メモリカードユニット
２，１０４，１０５，１０６    記憶ユニット
４    メモリーカード
５    コネクタ
５ａ，５ｂ    ガイドフレーム
５ｃ    保持フレーム
６    プリント回路基板
７    コンタクト
８，１５    エジェクト釦
９ａ，９ｂ，９ｃ    電子部品
１０，１３    ケース
１１，１４    開口
２０    取付部材
２０ａ    第１の取付片
２０ｂ    第２の取付片
２２，２３    ネジ穴
２５    ネジ
２８    フロントパネル
３３、３４    貫通穴
４０，１０１    装置本体
４１，４２    インターフェースユニット
４３    バスライン
１０２    ディスプレイ装置
１０３    キーボード
【図１】
0003539438.tif 000002
【図２】
0003539438.tif 000003
【図３】
0003539438.tif 000004
【図４】
0003539438.tif 000005
【図５】
0003539438.tif 000006